(57)【要約】【課題】解体性に優れた包装箱を提供する。【解決手段】包装箱は、角筒状の筒体の構成する、正面板、正面板に対向する背面板、正面板に連設される天面板、及び天面板に対向し正面板及び背面板の双方に連設する底面板と、筒体の一方の端面を構成する第１端面と、筒体の他方の端面を構成する第２端面と、を有し、第１端面は、天面板と底面板とを結ぶ方向に、正面板側にその一部を残して正面板から切離するための、天面板と底面板とを結ぶ第１破断線、及び背面板側にその一部を残して背面板から切離するための、天面板と底面板とを結ぶ第２破断線、を有し、第２端面は、天面板と底面板とを結ぶ方向に、正面板側にその一部を残して正面板から切離するための、天面板と底面板とを結ぶ第３破断線、及び背面板側にその一部を残して背面板から切離するための、天面板と底面板とを結ぶ第４破断線、を有する。【選択図】図７
2019112105.tif 000002
【特許請求の範囲】
【請求項１】
角筒状の筒体の構成する、正面板、前記正面板に対向する背面板、前記正面板に連設される天面板、及び前記天面板に対向し前記正面板及び前記背面板の双方に連設する底面板と、
前記筒体の一方の端面を構成する第１端面と、
前記筒体の他方の端面を構成する第２端面と、
を有し、
前記第１端面は、前記天面板と前記底面板とを結ぶ方向に、前記正面板にその一部を残して前記正面板から切離するための、前記天面板と前記底面板とを結ぶ第１破断線、及び前記背面板にその一部を残して前記背面板から切離するための、前記天面板と前記底面板とを結ぶ第２破断線、を有し、
前記第２端面は、前記天面板と前記底面板とを結ぶ方向に、前記正面板にその一部を残して前記正面板から切離するための、前記天面板と前記底面板とを結ぶ第３破断線、及び前記背面板にその一部を残して前記背面板から切離するための、前記天面板と前記底面板とを結ぶ第４破断線、を有する、
包装箱。
【請求項２】
請求項１に記載の包装箱であって、
前記第１破断線、前記第２破断線、前記第３破断線、及び前記第４破断線は、前記天面板と前記底面板とを結ぶ方向に沿って波状に形成される、
包装箱。
【請求項３】
請求項２に記載の包装箱であって、
前記第１破断線は、前記第１端面と前記正面板との境界線に平行な仮想直線に沿って設けられ、
前記第２破断線は、前記第１端面と前記背面板との境界線に平行な仮想直線に沿って設けられ、
前記第３破断線は、前記第２端面と前記正面板との境界線に平行な仮想直線に沿って設けられ、
前記第４破断線は、前記第２端面と前記背面板との境界線に平行な仮想直線に沿って設けられる、
包装箱。
【請求項４】
請求項２又は３に記載の包装箱であって、
前記第１破断線、前記第２破断線、前記第３破断線、及び前記第４破断線は、夫々ミシン目と所定長さの切込線とを組み合わせた構成を有する、
包装箱。
【請求項５】
請求項１乃至３のいずれか一項に記載の包装箱であって、
前記第１端面は、前記正面板から延出する第１正面フラップ、前記背面板から延出する第１背面フラップ、前記天面板から延出する第１上部端面板、及び前記底面板から延出する第１下部端面板を含み、
前記第２端面は、前記正面板から延出する第２正面フラップ、前記背面板から延出する第２背面フラップ、前記天面板から延出する第２上部端面板、及び前記底面板から延出する第２下部端面板を含み、
前記第１上部端面板及び前記第１下部端面板は、前記第１正面フラップ及び前記第１背面フラップの表面に接着され、
前記第２上部端面板及び前記第２下部端面板は、前記第２正面フラップ及び前記第２背面フラップの表面に接着され、
前記第１破断線は、前記第１正面フラップに形成され、
前記第２破断線は、前記第１背面フラップに形成され、
前記第３破断線は、前記第２正面フラップに形成され、
前記第４破断線は、前記第２背面フラップに形成される、
包装箱。
【請求項６】
請求項５に記載の包装箱であって、
前記第１上部端面板及び前記第１下部端面板の裏面と前記第１正面フラップ及び前記第１背面フラップの表面とは、前記第１正面フラップの前記第１破断線よりも前記正面板の側を除く領域、及び、前記第１背面フラップの前記第２破断線よりも前記背面板の側を除く領域、に塗布された接着剤により接着され、
前記第２上部端面板及び前記第２下部端面板の裏面と前記第２正面フラップ及び前記第２背面フラップの表面とは、前記第２正面フラップの前記第３破断線よりも前記正面板の側を除く領域、及び、前記第２背面フラップの前記第４破断線よりも前記背面板の側を除く領域、に塗布された接着剤により接着される、
包装箱。
【請求項７】
請求項５に記載の包装箱であって、
前記第１破断線は、前記第１正面フラップを前記正面板との境界線に沿って折り曲げ加工する際に破断しない強度を有し、
前記第２破断線は、前記第１背面フラップを前記背面板との境界線に沿って折り曲げ加工する際に破断しない強度を有し、
前記第３破断線は、前記第２正面フラップを前記天面板との境界線に沿って折り曲げ加工する際に破断しない強度を有し、
前記第４破断線は、前記第２背面フラップを前記底面板との境界線に沿って折り曲げ加工する際に破断しない強度を有する、
包装箱。
【請求項８】
請求項５に記載の包装箱であって、
前記正面板、前記背面板、前記天面板、前記底面板、前記第１正面フラップ、前記第１背面フラップ、前記第２正面フラップ、前記第２背面フラップ、前記第１上部端面板、前記第１下部端面板、前記第２上部端面板、前記第２下部端面板、及び前記第１乃至第４破断線が形成された一枚のブランクを組み立てることにより構成される、
包装箱。
【発明の詳細な説明】
【技術分野】
【０００１】
この発明は、包装箱に関し、とくに包装箱の解体を容易にするための技術に関する。
【背景技術】
【０００２】
特許文献１には、力の弱い者であっても容易に解体することができ、解体後は平面状になる包装用箱を提供することを目的として構成された包装箱に関して記載されている。包装箱は、上面、底面、一対の側面、及び、上面の端縁から稜線を介して延出された上面外フラップと、底面の端縁から稜線を介して延出された底面外フラップとの重複部分の一部を接合して形成される一対の妻面を有する形状に折り曲げられ、衛生用紙を収納し得る内部空間が形成された箱状をなし、平面状に解体するための解体用切込線が形成され、解体用切込線が、底面外フラップの端縁上の二点を起点として底面外フラップと底面とに亘って形成され、上面外フラップと底面外フラップとの重複部分の一部を接合する接合部が、解体用切込線と底面外フラップの端縁とに囲まれた領域内にのみ形成されている。
【０００３】
特許文献２には、ティッシュペーパー等の衛生用紙の包装箱を解体する技術について記載されている。衛生用紙包装箱は、対向する上下の面板と、同じく対向する左右一対の側面板とによって角筒状本体が形成され、上記一対の側面板の両端縁に角筒状本体の妻面を形成する内フラップと、上下の面板の両端縁に同じく角筒状本体の妻面を形成する外フラップを有するとともに、上面板には内面部にプラスチックフイルムが貼り付けられている衛生用紙の取出し口が設けられ、下面板と一方の側面板との連接折れ線上（境界の辺上）の離間する二点ａ，ｂを起点として下面板に対し、該二点をつなぐように略円弧状、または三角形状若しくは多角形状の押込み用切込線を有し、該切込線の起点ａ、ｂのそれぞれより妻面を形成する外フラップの連接折れ線の終端部に至る解体用切込線を有する。
【０００４】
特許文献３には、紙箱、その他のカートンにおいて、これを破り開けるためのジッパー構造に関して記載されている。ジッパーの破断線は、破断方向に延在する仮想線に沿って、交互に繰り返し並ぶ複数の第１切目および複数の第２切目で構成されている。仮想線によって２つに分けられる各領域を上領域および下領域としたとき、第１切目は、「上領域に頂点を有し、頂点から左右に湾曲しながら下領域に向かって延在する中央部」と「中央部の両端に連なり、下領域において最下点を有するとともに、湾曲しながら上領域に向かう方向に折り返す２つの裾野部」とを有する１本の連続した湾曲線で構成される。第２切目は、その形状が仮想線Ｌに関して第１切目１と線対称であり、頂点を下領域に有する。第１切目と第２切目は、それぞれの裾野部が仮想線Ｌに沿う方向にオーバーラップしている。
【先行技術文献】
【特許文献】
【０００５】
【特許文献１】特開２００８−２１３８９０号公報
【特許文献２】特開２００６−３４１９２５号公報
【特許文献３】特開２０１４−１３３５９７号公報
【発明の概要】
【発明が解決しようとする課題】
【０００６】
一般に飲料や薬品等に用いられる包装箱は輸送時や使用時の強度確保等を目的として紙材をホットメルト等の接着材を用いて接着した構造になっている。とくに瓶や缶等の重量物を収容する包装箱には厚手の紙材が用いられ、強度確保のために紙片同士は強固に接着されている。しかしこうした包装箱は強固な構成であるが故に解体時の手間が大きく、小
分販売などで使用済の包装箱が大量に発生する店舗等においては包装箱の解体や廃棄作業に多大な労力を要している。
【０００７】
本発明はこのような背景に鑑みてなされたもので、解体性に優れた包装箱を提供することを目的としている。
【課題を解決するための手段】
【０００８】
上記目的を達成するための本発明の一つは、包装箱であって、角筒状の筒体の構成する、正面板、前記正面板に対向する背面板、前記正面板に連設される天面板、及び前記天面板に対向し前記正面板及び前記背面板の双方に連設する底面板と、前記筒体の一方の端面を構成する第１端面と、前記筒体の他方の端面を構成する第２端面と、を有し、前記第１端面は、前記天面板と前記底面板とを結ぶ方向に、前記正面板にその一部を残して前記正面板から切離するための、前記天面板と前記底面板とを結ぶ第１破断線、及び前記背面板にその一部を残して前記背面板から切離するための、前記天面板と前記底面板とを結ぶ第２破断線、を有し、前記第２端面は、前記天面板と前記底面板とを結ぶ方向に、前記正面板にその一部を残して前記正面板から切離するための、前記天面板と前記底面板とを結ぶ第３破断線、及び前記背面板にその一部を残して前記背面板から切離するための、前記天面板と前記底面板とを結ぶ第４破断線、を有する。
【０００９】
このように本発明の包装箱は、第１端面には第１破断線及び第２破断線を、第２端面には第３破断線及び第３破断線を、夫々有しており、ユーザは第１端面及び第２端面を摘まんで両者を離間させるように力を加えるだけで包装箱を容易に解体することができる。また包装箱は解体後に取り扱い性や保管性に優れた平坦（フラット）な状態に展開されるので、ユーザは廃棄作業を効率よく行うことができる。
【００１０】
上記目的を達成するための本発明の他の一つは、上記包装箱であって、前記第１破断線、前記第２破断線、前記第３破断線、及び前記第４破断線は、前記天面板と前記底面板とを結ぶ方向に沿って波状に形成される。
【００１１】
このように第１破断線、第２破断線、第３破断線、及び第４破断線を夫々波状に形成することで、破断後に鋭利な部分が形成されず、解体に際しユーザの手指を傷つけることがない。
【００１２】
上記目的を達成するための本発明の他の一つは、上記包装箱であって、前記第１破断線は、前記第１端面と前記正面板との境界線に平行な仮想直線に沿って設けられ、前記第２破断線は、前記第１端面と前記背面板との境界線に平行な仮想直線に沿って設けられ、前記第３破断線は、前記第２端面と前記正面板との境界線に平行な仮想直線に沿って設けられ、前記第４破断線は、前記第２端面と前記背面板との境界線に平行な仮想直線に沿って設けられる。
【００１３】
上記目的を達成するための本発明の他の一つは、上記包装箱であって、前記第１破断線、前記第２破断線、前記第３破断線、及び前記第４破断線は、夫々ミシン目と所定長さの切込線とを組み合わせた構成を有する。
【００１４】
このような構成とすることで、破断時に力が逃げるのを防いで第１端面及び第２端面を確実に破断線に沿って破断させることができる。
【００１５】
上記目的を達成するための本発明の他の一つは、上記包装箱であって、前記第１端面は、前記正面板から延出する第１正面フラップ、前記背面板から延出する第１背面フラップ、前記天面板から延出する第１上部端面板、及び前記底面板から延出する第１下部端面板
を含み、前記第２端面は、前記正面板から延出する第２正面フラップ、前記背面板から延出する第２背面フラップ、前記天面板から延出する第２上部端面板、及び前記底面板から延出する第２下部端面板を含み、前記第１上部端面板及び前記第１下部端面板は、前記第１正面フラップ及び前記第１背面フラップの表面に接着され、前記第２上部端面板及び前記第２下部端面板は、前記第２正面フラップ及び前記第２背面フラップの表面に接着され、前記第１破断線は、前記第１正面フラップに形成され、前記第２破断線は、前記第１背面フラップに形成され、前記第３破断線は、前記第２正面フラップに形成され、前記第４破断線は、前記第２背面フラップに形成される。
【００１６】
上記目的を達成するための本発明の他の一つは、上記包装箱であって、前記第１上部端面板及び前記第１下部端面板の裏面と前記第１正面フラップ及び前記第１背面フラップの表面とは、前記第１正面フラップの前記第１破断線よりも前記正面板の側を除く領域、及び、前記第１背面フラップの前記第２破断線よりも前記背面板の側を除く領域、に塗布された接着剤により接着され、前記第２上部端面板及び前記第２下部端面板の裏面と前記第２正面フラップ及び前記第２背面フラップの表面とは、前記第２正面フラップの前記第３破断線よりも前記正面板の側を除く領域、及び、前記第２背面フラップの前記第４破断線よりも前記背面板の側を除く領域、に塗布された接着剤により接着される。
【００１７】
本発明によれば、第１正面フラップの第１破断線よりも正面板の側の領域、第１背面フラップの第２破断線よりも背面板の側の領域、第２正面フラップの第３破断線よりも正面板の側の領域、第２背面フラップの第４破断線よりも背面板の側の領域に接着剤が塗布されないので、正面板と第１正面フラップ、背面板と第１背面フラップ、正面板と第２正面フラップ、及び背面板と第２背面フラップを、夫々容易に切離することができ、ユーザは包装箱を容易に解体することができる。
【００１８】
上記目的を達成するための本発明の他の一つは、上記包装箱であって、前記第１破断線は、前記第１正面フラップを前記正面板との境界線に沿って折り曲げ加工する際に破断しない強度を有し、前記第２破断線は、前記第１背面フラップを前記背面板との境界線に沿って折り曲げ加工する際に破断しない強度を有し、前記第３破断線は、前記第２正面フラップを前記天面板との境界線に沿って折り曲げ加工する際に破断しない強度を有し、前記第４破断線は、前記第２背面フラップを前記底面板との境界線に沿って折り曲げ加工する際に破断しない強度を有する。
【００１９】
本発明によれば、包装箱の強度確保と解体の容易さとを両立させることができる。
【００２０】
上記目的を達成するための本発明の他の一つは、上記包装箱であって、前記正面板、前記背面板、前記天面板、前記底面板、前記第１正面フラップ、前記第１背面フラップ、前記第２正面フラップ、前記第２背面フラップ、前記第１上部端面板、前記第１下部端面板、前記第２上部端面板、前記第２下部端面板、及び前記第１乃至第４破断線が形成された一枚のブランクを組み立てることにより構成される。
【００２１】
このように本発明の包装箱は、一枚のブランクを組み立てることにより容易に構成することができるので生産性に優れる。
【００２２】
その他、本願が開示する課題、及びその解決方法は、発明を実施するための形態の欄、及び図面により明らかにされる。
【発明の効果】
【００２３】
本発明によれば、解体性に優れた包装箱を提供することができる。
【図面の簡単な説明】
【００２４】
【図１】包装箱の開封前の状態（封緘状態）を示す斜視図である。
【図２】包装箱の開封後の状態を示す斜視図である。
【図３】ブランクを包装箱の表面側から眺めた図である。
【図４】ブランクを包装箱の裏面側から眺めた図である。
【図５】包装箱の製造から廃棄までの流れを説明するフローチャートである。
【図６】組立てる途中の段階における包装箱の斜視図である。
【図７】包装箱の解体手順を説明する図である。
【図８】解体後の包装箱の紙片の状態を示す図である。
【図９】他の一例として示す包装箱のブランクを表面側から眺めた図である。
【図１０】他の一例として示す包装箱のブランクを裏面側から眺めた図である。
【発明を実施するための形態】
【００２５】
以下、実施形態につき図面を参照しつつ説明する。以下の説明において、同一の又は類似する構成について同一の符号を付して重複した説明を省略することがある。
【００２６】
図１は、一実施形態として説明する包装箱１０の開封前の状態（封緘（封函）状態）を示す斜視図である。また図２は、包装箱１０の開封後の状態（開封状態）を示す斜視図である。尚、説明の便宜上、これらの図に示す方向に座標軸を設定する。以下の説明において、＋ｚ方向（もしくは＋ｚ側）のことを上方（もしくは上部）と、−ｚ方向（もしくは−ｚ側）のことを下方（もしくは下部）と、夫々称することがある。
【００２７】
同図に示すように、包装箱１０の全体は略直方体状を呈する。本実施形態では、同図に示すように直交する３辺が「ｘ軸方向の辺の長さ＞ｚ軸方向の辺の長さ＞ｙ軸方向の辺の長さ」の関係である包装箱１０を例として説明するが、包装箱１０の形態は必ずしも限定されない。包装箱１０には、例えば、飲料や薬剤等の内容物が充填された瓶がｚ方向に立設した状態で縦横（ｘｙ）に整列して複数収容される。
【００２８】
図３及び図４に包装箱１０の形成片（以下、「ブランク５」とも称する。）を示す。図３は、ブランク５を包装箱１０の表面側から眺めた図であり、図４は、ブランク５を包装箱１０の裏面側から眺めた図である。ブランク５は、例えば、厚紙や板紙等の素材からなるブランクシートを打ち抜くことにより形成される。ブランクシートの素材は包装箱１０に要求される機能や仕様等に応じて適切なものが選択される。
【００２９】
図３及び図４において、切込線については実線で、山折線については一点鎖線で、谷折線については二点鎖線で、夫々示している。破断線は、例えば、ミシン目や、断続的に形成されたつなぎ部分を有する切込線等であるが、破断線の種類は必ずしも特定のものに限定されず、包装箱１０に要求される機能や仕様等に応じて適切なものが選択される。破断線は折曲線（山折線、谷折線）として機能することもある。
【００３０】
図３又は図４に示すように、ブランク５は、夫々の長尺辺が互いに平行になるように連接された４つの面板（正面板１１、底面板１２、背面板１３、天面板１４）と、天面板１４の長辺に延設された舌片１７とを有する。これらの図に示すように、正面板１１と背面板１３とは同形状である。また底面板１２と天面板１４とは同形状である。本例では、底面板１２又は天面板１４の面積が正面板１１又は背面板１３の面積よりも狭くなっているが、これらの面積比は必ずしも限定されない。また各側面板の長尺辺と短尺辺との関係（いずれの辺を長尺辺又は短尺辺とするか）についても必ずしも限定されない。尚、本実施形態では、説明の便宜上、正面、背面、底面、天面等の用語を用いるが、いずれを正面としいずれを背面とするか、いずれを底面としいずれを天面とするかは主観的に定められるものに過ぎず、包装箱１０の各部の機能は必ずしも上記用語の意味に拘束されない。
【００３１】
これらの図に示すように、正面板１１と底面板１２との境界には山折線３１が、底面板１２と背面板１３との境界には山折線３２が、背面板１３と天面板１４との境界には山折線４１が、天面板１４と舌片１７との境界には山折線４２が、夫々形成されている。山折線３１、山折線３２、山折線４１、及び山折線４２は、いずれも互いに平行である。
【００３２】
これらの図に示すように、ブランク５は、天面板１４の一方の短尺辺に延設された第１上部端面板１４１、天面板１４の他方の短尺辺に延設された第２上部端面板１４２、底面板１２の一方（第１上部端面板１４１が存在する側）の短尺辺に延設された第１下部端面板１２１、及び底面板１２の他方（第２上部端面板１４２が存在する側）の短尺辺に延設された第２下部端面板１２２、を有する。
【００３３】
またブランク５は、背面板１３の一方の短尺辺に延設された第１背面フラップ１３１、背面板１３の他方の短尺辺に延設された第２背面フラップ１３２、正面板１１の一方（第１背面フラップ１３１が存在する側）の短尺辺に延設された第１正面フラップ１１１、正面板１１の他方（第２背面フラップ１３２が存在する側）の短尺辺に延設された第２正面フラップ１１２、を有する。
【００３４】
正面板１１、底面板１２、背面板１３、及び天面板１４は、夫々の長尺辺を境界としてこの順に連接されており、これらを山折線３１，３２，４１，４２に沿って折り曲げて組み立てることにより、包装箱１０の内容物が収納される空間を形成する角筒状の筒体が形成される。尚、包装箱１０が封緘された状態において、舌片１７はその表面が正面板１１の裏面と面接触するように上記筒体に差し込まれる。
【００３５】
第１正面フラップ１１１、第１背面フラップ１３１、第１下部端面板１２１、及び第１上部端面板１４１は、上記筒体の一方の端面（この端面は包装箱１０の一方の側面を構成する。以下、第１端面とも称する。）を塞ぐように機能する。第１背面フラップ１３１の表面の所定領域及び第１正面フラップ１１１の表面の所定領域には接着剤Ｇａ，Ｇｃが塗布され、その上に第１上部端面板１４１及び第１下部端面板１２１の下面が接着される。即ち、上記筒体の一方の端面を塞いだ状態で、第１下部端面板１２１及び第１上部端面板１４１は、第１正面フラップ１１１及び第１背面フラップ１３１の上に重なった状態となる。
【００３６】
第２正面フラップ１１２、第２背面フラップ１３２、第２下部端面板１２２、及び第２上部端面板１４２は、上記筒体の上記一方の端面に対向する他方の端面（この端面は包装箱１０の上記一方の側面に対向する他方の側面を構成する。以下、第２端面とも称する。）を塞ぐように機能する。第２背面フラップ１３２の表面の所定領域及び第２正面フラップ１１２の表面の所定領域には接着剤Ｇｂ，Ｇｄが塗布され、その上に第２上部端面板１４２及び第２下部端面板１２２の下面が接着される。即ち、上記筒体の他方の端面を塞いだ状態で、第２下部端面板１２２及び第２上部端面板１４２は、第２正面フラップ１１２及び第２背面フラップ１３２の上に重なった状態となる。
【００３７】
接着剤Ｇａ，Ｇｂ，Ｇｃ，Ｇｄとしては、例えば、ホットメルトが用いられる。尚、図３では、接着剤Ｇａ，Ｇｂ，Ｇｃ，Ｇｄが矩形状の領域に塗布されているように示しているが、接着剤Ｇａ，Ｇｂ，Ｇｃ，Ｇｄを塗布する方法は必ずしも限定されず、接着剤Ｇａ，Ｇｂ，Ｇｃ，Ｇｄは、例えば、スポット的に塗布してもよい。
【００３８】
包装箱１０の解体時の容易性を確保するため、第１背面フラップ１３１の波状の破断線７３よりも破断線６３側（背面板１３側）の領域、第２背面フラップ１３２の波状の破断線７４よりも破断線６４側（背面板１３側）の領域、第１正面フラップ１１１の波状の破
断線７１よりも破断線６１側（正面板１１側）の領域、第２正面フラップ１１２の波状の破断線７２よりも破断線６２側（正面板１１側）の領域には、接着剤Ｇａ，Ｇｂ，Ｇｃ，Ｇｄを塗布しない。
【００３９】
図３又は図４に示すように、正面板１１の、底面板１２が連設される側と対向する側の長辺の中央付近には、略半円形状の押込部１１５が形成されている。この押込部１１５の周縁には破断線１１６が形成されている。
【００４０】
図３又は図４に示すように、第１正面フラップ１１１と正面板１１との境界には、破断線６１が形成されている。また第２正面フラップ１１２と正面板１１との境界には、破断線６２が形成されている。第１背面フラップ１３１と背面板１３との境界には、破断線６３が形成されている。また第２背面フラップ１３２と背面板１３との境界には、破断線６４が形成されている。第１下部端面板１２１と底面板１２との境界には、破断線６５が形成されている。また第２下部端面板１２２と底面板１２との境界には、破断線６６が形成されている。これらの破断線６１〜６６は、折曲性の確保や包装箱１０の解体を容易にする等の目的で設けられる。本実施形態では、破断線６１〜６６の線種としてリード罫を採用している。
【００４１】
図３又は図４に示すように、第１上部端面板１４１と天面板１４との境界には、片側ジッパー３５が形成されている。また第２上部端面板１４２と天面板１４との境界には、片側ジッパー３６が形成されている。片側ジッパー３５及び片側ジッパー３６は、図１に示す封緘状態の包装箱１０を開封しようとしてユーザが天面板１４を開く操作を行った際、天面板１４が第１上部端面板１４１及び第２上部端面板１４２から容易に切離されるように作用する。従って、片側ジッパー３５及び片側ジッパー３６は、上記作用が促進される方向に破断方向（破断が誘発され易い方向）が設定される。尚、本実施形態では、このように第１上部端面板１４１及び第２上部端面板１４２を天面板１４から容易に切離させるための構造としてジッパーを採用するが、上記構造としてジッパー以外を採用してもよい。
【００４２】
図３又は図４に示すように、第１背面フラップ１３１の破断線６３から所定距離離間した位置には、破断線６３に平行に引いた仮想直線に沿って、前記天面板１４と前記底面板１２とを結ぶように波状の破断線７３が形成されている。また第２背面フラップ１３２の破断線６４から所定距離離間した位置には、破断線６４に平行に引いた仮想直線に沿って、前記天面板１４と前記底面板１２とを結ぶように波状の破断線７４が形成されている。尚、本実施形態では、破断線７３及び破断線７４を、これらが背面板１３の長辺の中央を通り背面板１３の短辺に平行な直線に対して線対称な形状となるように形成しているが、破断線７３及び破断線７４の形状は必ずしも同図に示すものに限定されない。
【００４３】
第１正面フラップ１１１の破断線６１から所定距離離間した位置には、破断線６１に平行に引いた仮想直線に沿って、前記天面板１４と前記底面板１２とを結ぶように波状の破断線７１が形成されている。また第２正面フラップ１１２の破断線６２から所定距離離間した位置には、破断線６２に平行に引いた仮想直線に沿って、前記天面板１４と前記底面板１２とを結ぶように波状の破断線７２が形成されている。尚、本実施形態では、破断線７１及び破断線７２を、正面板１１の長辺の中央を通り正面板１１の短辺に平行な直線に対して線対称な形状となるようにしているが、破断線７１及び破断線７２の形状は必ずしも同図に示すものに限定されない。
【００４４】
波状の破断線７１〜７４は、包装箱１０の解体を容易にすることを目的として設けられる。破断線７１〜７４は、例えば、ミシン目や断続的に形成されたつなぎ部分を有する切込線等である。本実施形態では、破断線７１〜７４を、ミシン目と所定長さの切込線（ミ
シン目の切込線よりも長い切込線（カット線））とを組合せた構成としている。より詳細には、破断線７１，７２の正面板１１に近づく部分のうち破断時にユーザが加える力が逃げ易い部分、及び破断線７３，７４の背面板１３に近づく部分のうち破断時ユーザが加える力が逃げ易い部分を、ミシン目ではなく切込線としている。破断線７１〜７４をこのような構成とすることで、包装箱１０の解体時に破断線７１〜７４を夫々に沿って確実に破断させることができ、破断線７１〜７４を当該破断線７１〜７４に沿って綺麗に破断させることができる。破断線７１〜７４の態様は必ずしも限定されず、ブランク５の素材や形態に応じて適切なものを選択してよい。
【００４５】
尚、包装箱１０の組立て時、例えば、第１正面フラップ１１１は破断線６１（境界線）を折り目として折り曲げられるが、波状の破断線７１はこの折り曲げ加工に際して破断しない程度以上の強度を有する。破断線６１や破断線７１の線種はこの観点も考慮して選択される。この事情は、破断線６２と波状の破断線７２、破断線６３と波状の破断線７３、及び破断線６４と波状の破断線７４の各関係においても同様である。
【００４６】
［製造から廃棄まで］
続いて、図５に示すフローチャートとともに、包装箱１０の製造から廃棄までの流れについて説明する。尚、以下に説明する流れの開始時点において、ブランク５は、既に図３又は図４に示す状態（既に片側ジッパー３５，３６、破断線６１〜６６、破断線７１〜７４、破断線１１６等が形成済の状態）であるものとする。
【００４７】
同図に示すように、包装箱１０の組み立てに際しては、まずカートニングマシン（製函機）等を用い、ブランク５の４つの面板（正面板１１、底面板１２、背面板１３、及び天面板１４）と舌片１７の折り曲げ（山折線３１，３２，４１，４２に沿った折り曲げ）、第１正面フラップ１１１の破断線６１を折り目とする折り曲げ、第２正面フラップ１１２の破断線６２を折り目とする折り曲げ、第１背面フラップ１３１の破断線６３に沿った折り曲げ、第２背面フラップ１３２の破断線６４に沿った折り曲げ等が行われる（Ｓ５１１）。
【００４８】
続いて、第１背面フラップ１３１及び第１正面フラップ１１１の下部表面（底面板１２寄りの表面）に第１下部端面板１２１を接着するとともに、第２背面フラップ１３２及び第２正面フラップ１１２の下部表面（底面板１２寄りの表面）に第２下部端面板１２２を接着する（Ｓ５１２）。図６に上記接着を行った後の包装箱１０の様子を示す。
【００４９】
続いて、図６に示した状態の包装箱１０に、箱詰機等を用いて内容物を充填する（Ｓ５１３）。
【００５０】
続いて、天面板１４を山折線４１に沿って折り曲げるとともに当該天面板１４と正面板１１との間に舌片１７を差し込み、さらに第１背面フラップ１３１及び第１正面フラップ１１１の表面に第１上部端面板１４１を、第２背面フラップ１３２及び第２正面フラップ１１２の表面に第２上部端面板１４２を、夫々接着して包装箱１０を封緘（封函）する（Ｓ５１４）。これにより包装箱１０は図１に示した封緘状態となる。
【００５１】
その後、包装箱１０は流通経路等を経てユーザの手にわたる（Ｓ５１５）。包装箱１０の開封に際し、ユーザは、包装箱１０の押込部１１５を指等で押し込むことにより破断線１１６を破断させ、そのまま天面板１４を押し上げて天面板１４を開く。尚、天面板１４を押し上げる操作を行うことで片側ジッパー３５及び片側ジッパー３６は自然に破断する。以上により包装箱１０は図２に示す開封状態となる（Ｓ５１６）。ユーザはこの状態で包装箱１０から内容物を取り出す。その後、包装箱１０は解体されて廃棄される（Ｓ５１７）。
【００５２】
［解体手順］
続いて、包装箱１０の解体手順について図面とともに説明する。
【００５３】
図７に示すように、包装箱１０の解体に際し、ユーザは一方の手９１で第１上部端面板１４１の上部近傍を摘むとともに他方の手９２で第２上部端面板１４２の上部近傍をつまみ、第１上部端面板１４１と第２上部端面板１４２とが離間する方向に力を加えてこれらがほぼ水平（ｘｙ平面に平行）な状態になるまで下方に一気に引き下げる。この操作によって破断線７１〜７４は上方から下方に向かって一気に破断する。
【００５４】
上記操作に際し、ユーザは、両方の手９１，９２が離間する方向（一方の手９１については−ｘ方向、他方の手９２については＋ｘ方向）に力を加えるようにすることで、破断線７１〜７４の夫々に容易に応力を集中させることができる。そのため、上記操作を行うことにより、ユーザは破断線７１〜７４を夫々に沿って容易かつ綺麗に破断させることができる。
【００５５】
尚、解体前の包装箱１０の収容箱としての使用中の期間において、包装箱１０に加わる外力の多くは包装箱１０の外側から内側に向かう力である。従ってユーザが上記のような解体操作を故意に行わない限り、包装箱１０の使用期間中に包装箱１０が壊れてしまうようなことはない。また本実施形態の包装箱１０は、解体を容易にするための波状の破断線７１〜７４を破断線６１〜６４（折曲線）とは別に設けており、これにより包装箱１０の強度確保と解体の容易さとを容易に両立させることが可能となる。
【００５６】
図８は上記操作を行った後の包装箱１０の状態を示す図であり、上記操作後の包装箱１０の紙片を裏面側から眺めた図である。同図に示すように、上記操作後の包装箱１０の紙片の裏面側には、第２正面フラップ１１２、第２背面フラップ１３２、第１正面フラップ１１１、及び第１背面フラップ１３１の、夫々の破断線７１〜７４における破断により分離された紙片の一部が残留している。
【００５７】
同図に示すように、解体後における包装箱１０の紙片は全体に亘ってほぼ平坦（フラット）な状態となり、例えば、複数の包装箱１０の解体後の紙片を重ね置きした場合でも、全体の嵩張りが少なく取り扱い性や保管性に優れ、包装箱１０の廃棄作業を効率よく行うことができる。また破断線７１〜７４をいずれも波状としているため、解体後の包装箱１０の紙片には鋭利な部分が形成されず、解体作業を行うユーザの手指を傷つけることもない。
【００５８】
尚、以上の説明は、本発明の理解を容易にするためのものであり、本発明を限定するものではない。本発明は、その趣旨を逸脱することなく、変更、改良され得ると共に、本発明にはその等価物が含まれる。例えば、破断線７１〜７４と同等の機能を、ジッパーやジッパーに類似した構造（例えば、特許文献３（特開２０１４−１３３５９７号公報）に記載されているジッパーの片側部分の構造）により実現してもよい。図９及び図１０は、破断線７１〜７４と同等の機能をジッパーの片側部分の構造により実現した場合における包装箱１０のブランク５の一例である。図９はブランク５を包装箱１０の表面側から眺めた図であり、図１０は、ブランク５を包装箱１０の裏面側から眺めた図である。このように破断線７１〜７４の機能はジッパーの片側部分に類似した構造の破断線８１〜８４によって実現することもできる。
【符号の説明】
【００５９】
５  ブランク、１０  包装箱、１１  正面板、１１１  第１正面フラップ、１１２  第２正面フラップ、１２  底面板、１２１  第１下部端面板、１２２  第２下部端面板、１３
背面板、１３１  第１背面フラップ、１３２  第２背面フラップ、１４  天面板、１４１  第１上部端面板、１４２  第２上部端面板、１７  舌片、３１  山折線、３２  山折線、３５  片側ジッパー、３６  片側ジッパー、４１  山折線、４２  山折線、Ｇａ，Ｇｂ，Ｇｃ，Ｇｄ  接着剤
【図１】
2019112105.tif 000003
【図２】
2019112105.tif 000004
【図３】
2019112105.tif 000005
【図４】
2019112105.tif 000006
【図５】
2019112105.tif 000007
【図６】
2019112105.tif 000008
【図７】
2019112105.tif 000009
【図８】
2019112105.tif 000010
【図９】
2019112105.tif 000011
【図１０】
2019112105.tif 000012